(57)【要約】【課題】移動局のホームネットワークが第１切替手順に対応しているか否かに関わらず、移動局の第１通信状態から第２通信状態への切り替えを行う。【解決手段】本発明に係る移動通信システムは、ＭＳＣサーバ/ＭＧＷが、ＭＭＥから所定情報を受信した場合に、第１切替手順を開始し、ＳＣＣ  ＡＣに対して、その旨を通知する工程と、ＳＣＣ  ＡＣが、かかる通知に応じて、第１切替手順を開始する工程とを有し、第１切替手順は、移動局ＵＥ＃１の在圏ネットワーク内で移動局＃１の第１通信状態から第２通信状態への切り替えを行う手順であり、第２切替手順は、移動局ＵＥ＃１の在圏ネットワーク及びホームネットワーク内で移動局ＵＥ＃１の第１通信状態から第２通信状態への切り替えを行う手順である。【選択図】図３
2011211661.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、第１切替手順又は第２切替手順によって、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記第２通信方式のコアネットワーク内の所定ノードが、前記移動伝達ネットワーク内の移動管理ノードから所定情報を受信した場合に、前記第１切替手順を開始し、前記サービス制御ネットワーク内の所定ノードに対して、その旨を通知する工程Ａと、
前記サービス制御ネットワーク内の所定ノードが、前記通知に応じて、前記第１切替手順を開始する工程Ｂとを有し、
前記第１切替手順は、前記移動局の在圏ネットワーク内で前記移動局の前記第１通信状態から前記第２通信状態への切り替えを行う手順であり、
前記第２切替手順は、前記移動局の在圏ネットワーク及びホームネットワーク内で前記移動局の前記第１通信状態から前記第２通信状態への切り替えを行う手順であることを特徴とする移動通信方法。
【請求項２】
前記工程Ａにおいて、前記サービス制御ネットワーク内の所定ノードは、前記第２通信方式のコアネットワーク内の所定ノードに対して、前記第１切替手順に必要な情報を送信することを特徴とする請求項１に記載の移動通信方法。
【請求項３】
前記移動局の位置登録時に、前記移動伝達ネットワーク内の移動管理ノードが、前記移動局のホームネットワーク内の加入者サーバから、該移動局のホームネットワークが前記第１切替手順に対応しているか否かについて示す情報を取得する工程と、
前記移動伝達ネットワーク内の移動管理ノードが、前記移動局のホームネットワークが前記第１切替手順に対応している旨を示す情報を取得した場合、前記第２通信方式のコアネットワーク内の所定ノードに対して、前記所定情報を送信する工程とを有することを特徴とする請求項１に記載の移動通信方法。
【請求項４】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムであって、
第１切替手順又は第２切替手順によって、移動局を、前記第１通信方式の無線アクセスシステムを介して音声通信を行う第１通信状態から、前記第２通信方式の無線アクセスシステムを介して音声通信を行う第２通信状態に切り替えるように構成されており、
前記第２通信方式のコアネットワーク内の所定ノードは、前記移動伝達ネットワーク内の移動管理ノードから所定情報を受信した場合に、前記第１切替手順を開始し、前記サービス制御ネットワーク内の所定ノードに対して、その旨を通知するように構成されており、
前記サービス制御ネットワーク内の所定ノードは、前記通知に応じて、前記第１切替手順を開始するように構成されており、
前記第１切替手順は、前記移動局の在圏ネットワーク内で前記移動局の前記第１通信状態から前記第２通信状態への切り替えを行う手順であり、
前記第２切替手順は、前記移動局の在圏ネットワーク及びホームネットワーク内で前記移動局の前記第１通信状態から前記第２通信状態への切り替えを行う手順であることを特徴とする移動通信システム。
【請求項５】
前記サービス制御ネットワーク内の所定ノードは、前記通知に応じて、前記第１切替手順を開始し、前記第２通信方式のコアネットワーク内の所定ノードに対して、該第１切替手順に必要な情報を送信するように構成されていることを特徴とする請求項４に記載の移動通信システム。
【請求項６】
前記移動局の位置登録時に、前記移動伝達ネットワーク内の移動管理ノードは、前記移動局のホームネットワーク内の加入者サーバから、該移動局のホームネットワークが前記第１切替手順に対応しているか否かについて示す情報を取得するように構成されており、
前記移動伝達ネットワーク内の移動管理ノードは、前記移動局のホームネットワークが前記第１切替手順に対応している旨を示す情報を取得した場合、前記第２通信方式のコアネットワーク内の所定ノードに対して、前記所定情報を送信するように構成されていることを特徴とする請求項４に記載の移動通信システム。
【発明の詳細な説明】
【技術分野】
【０００１】
本発明は、移動通信方法及び移動通信システムに関する。
【背景技術】
【０００２】
従来、２Ｇ/３Ｇ方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、移動局ＵＥ＃１を、移動局ＵＥ＃２との間でＥ-ＵＴＲＡＮを介して音声通信（ＶｏＩＰ（Ｖｏｉｃｅ  ｏｖｅｒ  ＩＰ）通信）を行う状態（第１通信状態）から、移動局ＵＥ＃２との間でＵＴＲＡＮを介して音声通信（回線交換通信）を行う状態（第２通信状態）に切り替える動作、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」について規定されている（非特許文献１参照）。
【０００４】
また、かかる移動通信システムにおいて、移動局ＵＥ＃１の在圏ネットワーク内で移動局ＵＥ＃１の第１通信状態から第２通信状態への切り替えを行う手順（以下、第１切替手順）が規定されている（非特許文献２参照）。
【０００５】
かかる第１切替手順は、移動局ＵＥ＃１の第１通信状態から第２通信状態への切り替え時における通信負荷の時間を短縮することができ、かかる切り替えを行う際にＩＭＳ（ＩＰ  Ｍｕｌｔｉｍｅｄｉａ  Ｓｕｂｓｙｓｔｅｍ、サービス制御ネットワーク）による制御を不要にすることができる。
【０００６】
図１０及び図１１に、かかる第１切替手順を用いて、移動局ＵＥ＃１の第１通信状態から第２通信状態への切り替えを行う手順について示す。
【０００７】
図１０は、ＶｏＩＰ通信及びパケット交換（ＰＳ：Ｐａｃｋｅｔ  Ｓｗｉｔｃｈｉｎｇ）通信を並行して切り替えることができるケース（すなわち、ＰＳハンドオーバをサポートしているケース）における手順について示し、図１１は、ＶｏＩＰ通信及びパケット交換（ＰＳ：Ｐａｃｋｅｔ  Ｓｗｉｔｃｈｉｎｇ）通信を並行して切り替えることができないケース（すなわち、ＰＳハンドオーバをサポートしていないケース）における手順について示す。
【先行技術文献】
【非特許文献】
【０００８】
【非特許文献１】３ＧＰＰ  ＴＳ２３.２１６
【非特許文献２】３ＧＰＰ  ＴＲ２３.８５６  ｖ０.４.１
【発明の概要】
【発明が解決しようとする課題】
【０００９】
ここで、図１０に示す手順では、ＭＳＣ（Ｍｏｂｉｌｅ-ｓｅｒｖｉｃｅ  Ｓｗｉｔｃｈｉｎｇ  Ｃｅｎｔｅｒ）サーバ/ＭＧＷ（Ｍｅｄｉａ  Ｇａｔｅｗａｙ  ｆｏｒ  ＳＲＶＣＣ）が、ステップ５ａにおいて、ＭＭＥ（Ｍｏｂｉｌｉｔｙ  Ｍａｎａｇｅｍｅｎｔ  Ｅｎｔｉｔｙ、移動管理ノード）から「ＰＳ  ｔｏ  ＣＳ  Ｒｅｑ」を受信した時点で、第１切替手順を開始し、ステップ９において、移動局ＵＥ＃１のホームネットワーク内のＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ、所定ノード）に対して、その旨を通知する。
【００１０】
しかしながら、従来の移動通信システムでは、移動局ＵＥ＃１のホームネットワークが、第１切替手順に対応していない場合には、ＳＣＣ  ＡＳ及びＭＳＣサーバ/ＭＧＷが、どのように動作すべきかについて規定されていないため、移動局ＵＥ＃１の第１通信状態から第２通信状態への切り替えを行うことができないという問題点があった。
【００１１】
また、同様に、図１１に示す手順では、ＭＭＥが、ステップ５ａにおいて、ＭＳＣサーバ/ＭＧＷに対して「ＰＳ  ｔｏ  ＣＳ  Ｒｅｑ/Ｆｏｒｗａｒｄ  Ｒｅｌｏｃａｔｉｏｎ  ｒｅｑｕｅｓｔ」を送信する時点で、第１切替手順を開始し、ステップ９において、ＭＳＣサーバ/ＭＧＷが、移動局ＵＥ＃１のホームネットワーク内のＳＣＣ  ＡＳに対して、その旨を通知する。
【００１２】
かかる場合も、従来の移動通信システムでは、移動局ＵＥ＃１のホームネットワークが、第１切替手順に対応していない場合には、ＳＣＣ  ＡＳ及びＭＳＣサーバ/ＭＧＷが、どのように動作すべきかについて規定されていないため、移動局ＵＥ＃１の第１通信状態から第２通信状態への切り替えを行うことができないという問題点があった。
【００１３】
そこで、本発明は、上述の課題に鑑みてなされたものであり、移動局のホームネットワークが第１切替手順に対応しているか否かに関わらず、移動局の第１通信状態から第２通信状態への切り替えを行うことを可能とする移動通信方法及び移動通信システムを提供することを目的とする。
【課題を解決するための手段】
【００１４】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、第１切替手順又は第２切替手順によって、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記第２通信方式のコアネットワーク内の所定ノードが、前記移動伝達ネットワーク内の移動管理ノードから所定情報を受信した場合に、前記第１切替手順を開始し、前記サービス制御ネットワーク内の所定ノードに対して、その旨を通知する工程Ａと、前記サービス制御ネットワーク内の所定ノードが、前記通知に応じて、前記第１切替手順を開始する工程Ｂとを有し、前記第１切替手順は、前記移動局の在圏ネットワーク内で前記移動局の前記第１通信状態から前記第２通信状態への切り替えを行う手順であり、前記第２切替手順は、前記移動局の在圏ネットワーク及びホームネットワーク内で前記移動局の前記第１通信状態から前記第２通信状態への切り替えを行う手順であることを要旨とする。
【００１５】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムであって、第１切替手順又は第２切替手順によって、移動局を、前記第１通信方式の無線アクセスシステムを介して音声通信を行う第１通信状態から、前記第２通信方式の無線アクセスシステムを介して音声通信を行う第２通信状態に切り替えるように構成されており、前記第２通信方式のコアネットワーク内の所定ノードは、前記移動伝達ネットワーク内の移動管理ノードから所定情報を受信した場合に、前記第１切替手順を開始し、前記サービス制御ネットワーク内の所定ノードに対して、その旨を通知するように構成されており、前記サービス制御ネットワーク内の所定ノードは、前記通知に応じて、前記第１切替手順を開始するように構成されており、前記第１切替手順は、前記移動局の在圏ネットワーク内で前記移動局の前記第１通信状態から前記第２通信状態への切り替えを行う手順であり、前記第２切替手順は、前記移動局の在圏ネットワーク及びホームネットワーク内で前記移動局の前記第１通信状態から前記第２通信状態への切り替えを行う手順であることを要旨とする。
【発明の効果】
【００１６】
以上説明したように、本発明によれば、移動局のホームネットワークが第１切替手順に対応しているか否かに関わらず、移動局の第１通信状態から第２通信状態への切り替えを行うことを可能とする移動通信方法及び移動通信システムを提供することができる。
【図面の簡単な説明】
【００１７】
【図１】本発明の第１の実施形態に係る移動通信システムの全体構成図である。
【図２】本発明の第１の実施形態に係る移動通信システムの動作について説明するシーケンス図である。
【図３】本発明の第１の実施形態に係る移動通信システムの動作について説明するシーケンス図である。
【図４】本発明の第１の実施形態に係る移動通信システムにおけるＭＭＥによって送信される「Ｕｐｄａｔｅ  Ｌｏｃａｔｉｏｎ」のフォーマットの一例を示す図である。
【図５】本発明の第１の実施形態に係る移動通信システムにおけるＨＳＳによって送信される「Ｕｐｄａｔｅ  Ｌｏｃａｔｉｏｎ  Ａｃｋ」のフォーマットの一例を示す図である。
【図６】本発明の第１の実施形態に係る移動通信システムの動作について説明するシーケンス図である。
【図７】本発明の第１の実施形態に係る移動通信システムの動作について説明するシーケンス図である。
【図８】本発明の第１の実施形態に係る移動通信システムの動作について説明するシーケンス図である。
【図９】本発明の第１の実施形態に係る移動通信システムの動作について説明するシーケンス図である。
【図１０】従来の移動通信システムの動作について説明するシーケンス図である。
【図１１】従来の移動通信システムの動作について説明するシーケンス図である。
【発明を実施するための形態】
【００１８】
（本発明の第１の実施形態に係る移動通信システム）
図１乃至図９を参照して、本発明の第１の実施形態に係る移動通信システムについて説明する。
【００１９】
図１に示すように、本実施形態に係る移動通信システムは、Ｅ-ＵＴＲＡＮと、ＵＴＲＡＮと、移動伝達ネットワークと、２Ｇ/３Ｇ方式のコアネットワークと、ＩＭＳと、パケット交換ネットワークとを具備している。
【００２０】
Ｅ-ＵＴＲＡＮには、無線基地局ｅＮｏｄｅＢ（不図示）が配置されており、ＵＴＲＡＮ/ＧＥＲＡＮには、無線基地局ＮｏｄｅＢ/ＢＳＳ（不図示）及び無線回線制御局ＲＮＣ（不図示）が配置されている。
【００２１】
移動伝達ネットワークには、ＭＭＥ（Ｍｏｂｉｌｉｔｙ  Ｍａｎａｇｅｍｅｎｔ  Ｅｎｔｉｔｙ）と、Ｓ-ＧＷ（Ｓｅｒｖｉｎｇ-Ｇａｔｅｗａｙ、サービングゲートウェイ装置）と、Ｐ-ＧＷ（ＰＤＮ-Ｇａｔｅｗａｙ）とが配置されている。
【００２２】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）やノードＳＧＳＮ（Ｓｅｒｖｉｎｇ  ＧＰＲＳ  Ｓｕｐｐｏｒｔ  Ｎｏｄｅ、パケット交換機）やＭＳＣサーバ/ＭＧＷ（所定ノード）が配置されている。
【００２３】
なお、ＭＳＣサーバ/ＭＧＷは、制御信号を処理するＭＳＣサーバと、パケット交換用信号（ＶｏＩＰメディア信号及びＳＩＰ（Ｓｅｓｓｉｏｎ  Ｉｎｉｔｉａｔｉｏｎ  Ｐｒｏｔｏｃｏｌ）信号）と回線交換用信号との変換等を実施するＭＧＷとに分離されていてもよい。
【００２４】
ＩＭＳには、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）と、Ｓ-ＣＳＣＦ（Ｓｅｒｖｉｎｇ-Ｃａｌｌ  Ｓｅｓｓｉｏｎ  Ｃｏｎｔｒｏｌ  Ｆｕｎｃｔｉｏｎ）と、Ｓ/Ｐ-ＣＳＣＦと、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ、所定ノード）とが配置されている。
【００２５】
ここで、移動局ＵＥ＃１の在圏ノードには、ＭＳＣサーバ/ＭＧＷや、ＭＭＥや、Ｓ-ＧＷや、ＳＧＳＮや、ＭＳＣや、Ｅ-ＵＴＲＡＮや、ＵＴＲＡＮ/ＧＥＲＡＮが配置されており、移動局ＵＥ＃１のホームネットワークには、ＨＳＳや、Ｐ-ＧＷや、ＩＭＳが配置されている。
【００２６】
第１通信状態では、移動局ＵＥ＃１と移動局ＵＥ＃２との間で、ＶｏＩＰメディア信号は、Ｅ-ＵＴＲＡＮとＳＧＷとＰＧＷとを介して送受信されるように構成されており、ＳＩＰ信号は、Ｅ-ＵＴＲＡＮとＳＧＷとＰＧＷとＩＭＳを介して送受信されるように構成されている。
【００２７】
一方、第２通信状態では、移動局ＵＥ＃１とＭＳＣサーバ/ＭＧＷとの間で、回線交換用信号は、ＵＴＲＡＮ/ＧＥＲＡＮとＭＳＣとを介して送受信されるように構成されており、ＭＳＣサーバ/ＭＧＷと移動局ＵＥ＃２との間で、ＶｏＩＰメディア信号は、ＳＧＷとＰＧＷとを介して送受信されるように構成されている。
【００２８】
なお、第２通信状態では、ＳＩＰ信号は、ＭＳＣサーバ/ＭＧＷとＩＭＳ内のＳＣＣ  ＡＣの間で送受信されるように構成されている。また、第２通信状態では、ＭＳＣサーバ/ＭＧＷは、パケット交換用信号（ＶｏＩＰメディア信号及びＳＩＰ信号）と回線交換用信号との変換を実施するように構成されている。
【００２９】
以下、図２乃至図９を参照して、本実施形態に係る移動通信システムにおいて、移動局ＵＥ＃１を第１通信状態から第２通信状態に切り替える動作について説明する。
【００３０】
ここで、本実施形態に係る移動通信システムでは、第１切替手順又は第２切替手順を用いて、移動局ＵＥ＃１を第１通信状態から第２通信状態に切り替えることができる。
【００３１】
ここで、第１切替手順は、移動局ＵＥ＃１の在圏ネットワーク内で移動局＃１の第１通信状態から第２通信状態への切り替えを行う手順である。例えば、第１切替手順は、３ＧＰＰ規格ＴＲ２３.８５６（ｖ０.４.１）の「Ａｌｔｅｒｎａｔｉｖｅ  １２」によって規定されている手順である。
【００３２】
一方、第２切替手順は、移動局ＵＥ＃１の在圏ネットワーク及びホームネットワーク内で移動局ＵＥ＃１の第１通信状態から第２通信状態への切り替えを行う手順である。例えば、第２切替手順は、３ＧＰＰ規格ＴＳ２３.２１６によって規定されている手順である。
【００３３】
第１に、図２乃至図５を参照して、本実施形態に係る移動通信システムにおいて、移動局ＵＥ＃１がネットワークに位置登録を行う動作について説明する。
【００３４】
図２に示すように、移動局ＵＥ＃１は、ステップ１において、ＴＡＵ（Ｔｒａｃｋｉｎｇ  Ａｒｅａ  Ｕｐｄａｔｅ）手順を行うことを決定すると、ステップ２において、移動先の位置登録エリア（ＴＡ：Ｔｒａｃｋｉｎｇ  Ａｒｅａ）を管理するＭＭＥ＃１（すなわち、移動局ＵＥ＃１の在圏ネットワーク内のＭＭＥ＃１）に対して、「ＴＡＵ  Ｒｅｑｕｅｓｔ」を送信する。
【００３５】
ステップ３において、３ＧＰＰ規格ＴＳ２３.４０１に規定されているＴＡＵ手順のステップ４乃至１９を行う。ここで、図３に、かかるＴＡＵ手順のステップ４乃至１９について示す。
【００３６】
ここで、図３に示すステップ１２において、ＭＭＥ＃１は、移動局ＵＥ＃１のホームネットワーク内のＨＳＳに対して、「Ｕｐｄａｔｅ  Ｌｏｃａｔｉｏｎ」によって、移動局ＵＥ＃１の在圏ネットワークが第１切替手順に対応しているか否かについて示す情報を通知してもよい。
【００３７】
具体的には、図４に示すように、「Ｕｐｄａｔｅ  Ｌｏｃａｔｉｏｎ」内の「Ｓｕｐｐｏｒｔｅｄ  Ｆｅａｔｕｒｅｓ（３ＧＰＰ規格ＴＳ２９.２２９参照）」に、移動局ＵＥ＃１の在圏ネットワークが第１切替手順に対応しているか否かについて示すビットを設定可能とし、ＭＭＥ＃１が、かかるビットを用いて、上述の通知を行ってもよい。
【００３８】
また、図３に示すステップ１７において、ＨＳＳは、ＭＭＥ＃１に対して、「Ｕｐｄａｔｅ  Ｌｏｃａｔｉｏｎ  Ａｃｋ」によって、移動局ＵＥ＃１のホームネットワークが第１切替手順に対応しているか否かについて示す情報を通知してもよい。
【００３９】
具体的には、図５に示すように、「Ｕｐｄａｔｅ  Ｌｏｃａｔｉｏｎ  Ａｃｋ」内の「Ｓｕｐｐｏｒｔｅｄ  Ｆｅａｔｕｒｅｓ（３ＧＰＰ規格ＴＳ２９.２２９参照）」に、移動局ＵＥ＃１のホームネットワークが第１切替手順に対応しているか否かについて示すビットを設定可能とし、ＨＳＳが、かかるビットを用いて、上述の通知を行ってもよい。
【００４０】
図２に戻り、ステップ４において、ＭＭＥ＃１は、ＭＳＣに対して、「Ｌｏｃａｔｉｏｎ  Ｕｐｄａｔｅ  Ｒｅｑｕｅｓｔ」を送信し、ＭＳＣは、ステップ５において、ＣＳドメインにおける移動局ＵＥ＃１の位置登録情報を更新し、ステップ６において、ＭＭＥ＃１に対して、「Ｌｏｃａｔｉｏｎ  Ｕｐｄａｔｅ  Ａｃｃｅｐｔ」を送信する。
【００４１】
ステップ７において、ＭＭＥ＃１は、移動局ＵＥ＃１に対して、「ＴＡＵ  Ａｃｃｅｐｔ」を送信し、ステップ８において、移動局ＵＥ＃１は、ＭＭＥ＃１に対して、「ＴＡＵ  Ｃｏｍｐｌｅｔｅ」を送信する  。
【００４２】
ステップ９において、３ＧＰＰ規格ＴＳ２３.２９２に規定されているＩＭＳ  Ｒｅｇｉｓｔｒａｔｉｏｎ手順を行う。
【００４３】
なお、図２は、３ＧＰＰ規格ＴＳ２３.２９２で規定されているＩＣＳアーキテクチャを前提とした場合の動作を説明しているが、本発明は、ＩＣＳアーキテクチャと独立に動作可能である。すなわち、図２の処理を実施せず、位置登録処理として、図３のステップ１２及びステップ１７を実施するネットワークであれば、移動局ＵＥ＃１の在圏ネットワークとホームネットワークとの間で、第１切替手順に対応しているか否かについて示す情報を交換して、在圏ネットワークが、第１切替手順を実施するべきかについて判断することが可能となる。
【００４４】
第２に、図６及び図７を参照して、本実施形態に係る移動通信システムで、ＰＳハンドオーバをサポートしているケースにおいて、移動局ＵＥ＃１を第１通信状態から第２通信状態に切り替える動作について説明する。
【００４５】
図６に示す手順は、３ＧＰＰ規格ＴＲ２３.８５６（ｖ０.４.１）の「Ａｌｔｅｒｎａｔｉｖｅ  １２」に規定されている。また、図７に示す手順は、３ＧＰＰ規格ＴＳ２３.２１６に規定されている。
【００４６】
図６及び図７に示すステップ５ａにおいて、ＭＭＥは、ＭＳＣサーバ/ＭＧＷに対して、「ＰＳ  ｔｏ  ＣＳ  Ｒｅｑ」を送信する。
【００４７】
ここで、ＭＭＥは、ＨＳＳから、移動局ＵＥ＃１のホームネットワークが第１切替手順に対応している旨を示す情報を取得している場合には、ＭＳＣサーバ/ＭＧＷに対して、「ＰＳ  ｔｏ  ＣＳ  Ｒｅｑ」によって、かかる情報を通知する。
【００４８】
ＭＳＣサーバ/ＭＧＷは、ＭＭＥから、移動局ＵＥ＃１のホームネットワークが第１切替手順に対応している旨を示す情報を取得した場合には、第１切替手順を開始し、図６に示すステップ５ｂ以降の処理が行われる。
【００４９】
ここで、図６に示すステップ９において、ＭＳＣサーバ/ＭＧＷは、ＳＣＣ  ＡＣに対して、「Ｉｎｔｉａｔｉｏｎ  ｏｆ  Ｓｅｓｓｉｏｎ  Ｔｒａｎｓｆｅｒ」によって、移動局ＵＥ＃１の在圏ネットワークが第１切替手順を起動した旨を示す情報を通知する。
【００５０】
ＳＣＣ  ＡＣは、かかる通知に応じて、第１切替手順を開始し、図６に示すステップ１０において、ＭＳＣサーバ/ＭＧＷに対して、「ＡＣＫ  ｏｆ  Ｓｅｓｓｉｏｎ  Ｔｒａｎｓｆｅｒ」によって、第１切替手順に必要な情報を送信する。  例えば、第１切替手順に必要な情報としては、コーデック情報等が挙げられる。
【００５１】
一方、ＭＳＣサーバ/ＭＧＷは、ＭＭＥから、移動局ＵＥ＃１のホームネットワークが第１切替手順に対応している旨を示す情報を取得しない場合、或いは、移動局ＵＥ＃１のホームネットワークが第１切替手順に対応していない旨を示す情報を取得した場合、第２切替手順を開始し、図７に示すステップ５ｂ以降の処理が行われる。  
【００５２】
第３に、図８及び図９を参照して、本実施形態に係る移動通信システムで、ＰＳハンドオーバをサポートしていないケースにおいて、移動局ＵＥ＃１を第１通信状態から第２通信状態に切り替える動作について説明する。
【００５３】
図８に示す手順は、３ＧＰＰ規格ＴＲ２３.８５６（ｖ０.４.１）の「Ａｌｔｅｒｎａｔｉｖｅ  １２」に規定されている。また、図９に示す手順は、３ＧＰＰ規格ＴＳ２３.２１６に規定されている。
【００５４】
図８及び図９に示すステップ５ａにおいて、ＭＭＥは、ＭＳＣサーバ/ＭＧＷに対して、「ＰＳ  ｔｏ  ＣＳ  Ｒｅｑ」を送信する。
【００５５】
ここで、ＭＭＥは、ＨＳＳから、移動局ＵＥ＃１のホームネットワークが第１切替手順に対応している旨を示す情報を取得している場合には、ＭＳＣサーバ/ＭＧＷに対して、「ＰＳ  ｔｏ  ＣＳ  Ｒｅｑ/Ｆｏｒｗａｒｄ  Ｒｅｌｏｃａｔｉｏｎ  ｒｅｑｕｅｓｔ」によって、かかる情報を通知する。
【００５６】
ＭＳＣサーバ/ＭＧＷは、ＭＭＥから、移動局ＵＥ＃１のホームネットワークが第１切替手順に対応している旨を示す情報を取得した場合には、第１切替手順を開始し、図８に示すステップ５ｂ以降の処理が行われる。
【００５７】
ここで、図８に示すステップ９において、ＭＳＣサーバ/ＭＧＷは、ＳＣＣ  ＡＣに対して、「Ｉｎｔｉａｔｉｏｎ  ｏｆ  Ｓｅｓｓｉｏｎ  Ｔｒａｎｓｆｅｒ」によって、移動局ＵＥ＃１の在圏ネットワークが第１切替手順を起動した旨を示す情報を通知する。
【００５８】
ＳＣＣ  ＡＣは、かかる通知に応じて、第１切替手順を開始し、図８に示すステップ１０において、ＭＳＣサーバ/ＭＧＷに対して、「ＡＣＫ  ｏｆ  Ｓｅｓｓｉｏｎ  Ｔｒａｎｓｆｅｒ」によって、第１切替手順に必要な情報を送信する。  例えば、第１切替手順に必要な情報としては、コーデック情報等が挙げられる。
【００５９】
一方、ＭＳＣサーバ/ＭＧＷは、ＭＭＥから、移動局ＵＥ＃１のホームネットワークが第１切替手順に対応している旨を示す情報を取得しない場合、或いは、移動局ＵＥ＃１のホームネットワークが第１切替手順に対応していない旨を示す情報を取得した場合、第２切替手順を開始し、図９に示すステップ５ｂ以降の処理が行われる。  
【００６０】
ここで、ＭＭＥは、ＨＳＳから、移動局ＵＥ＃１のホームネットワークが第１切替手順に対応している旨を示す情報を取得している場合であっても、ＭＳＣサーバ/ＭＧＷに対して、「ＰＳ  ｔｏ  ＣＳ  Ｒｅｑ/Ｆｏｒｗａｒｄ  Ｒｅｌｏｃａｔｉｏｎ  ｒｅｑｕｅｓｔ」によって、かかる情報を通知しなくてもよい。
【００６１】
かかる場合、ＭＳＣサーバ/ＭＧＷは、ＭＭＥから、「ＰＳ  ｔｏ  ＣＳ  Ｒｅｑ/Ｆｏｒｗａｒｄ  Ｒｅｌｏｃａｔｉｏｎ  ｒｅｑｕｅｓｔ」を受信した場合には、第１切替手順を開始し、図８に示すステップ５ｂ以降の処理が行われてもよい。
【００６２】
一方、ＭＳＣサーバ/ＭＧＷは、ＭＭＥから、「ＰＳ  ｔｏ  ＣＳ  Ｒｅｑ」を受信した場合には、第２切替手順を開始し、図９に示すステップ５ｂ以降の処理が行われてもよい。
【００６３】
本実施形態に係る移動通信システムによれば、移動局ＵＥ＃１の在圏ネットワーク内のＭＭＥが、移動局ＵＥ＃１のホームネットワークが第１切替手順に対応しているか否かについて、事前に把握することができる。
【００６４】
そして、ＭＳＣサーバ/ＭＧＷが、移動局ＵＥ＃１のホームネットワークが第１切替手順に対応している場合にのみ、第１切替手順を用いて移動局ＵＥ＃１の第１通信状態から第２通信状態への切り替えを行うことを決定し、移動局ＵＥ＃１のホームネットワークが第１切替手順に対応していない場合には、第２切替手順を用いて移動局ＵＥ＃１の第１通信状態から第２通信状態への切り替えを行うことを決定することができる。
【００６５】
したがって、移動局ＵＥ＃１のホームネットワークが第１切替手順に対応していない場合であっても、移動局ＵＥ＃１の第１通信状態から第２通信状態への切り替えを行うことができる。
【００６６】
以上に述べた本実施形態の特徴は、以下のように表現されていてもよい。
【００６７】
本実施形態の第１の特徴は、Ｅ-ＵＴＲＡＮ（回線交換通信をサポートしていない第１通信方式の無線アクセスシステム）と、Ｅ-ＵＴＲＡＮを収容する移動伝達ネットワークと、ＵＴＲＡＮ/ＧＥＲＡＮ（回線交換通信をサポートしている第２通信方式の無線アクセスシステム）と、ＵＴＲＡＮ/ＧＥＲＡＮを収容する２Ｇ/３Ｇ方式（第２通信方式）のコアネットワークと、ＩＭＳ（サービス制御ネットワーク）とを具備する移動通信システムにおいて、第１切替手順又は第２切替手順によって、移動局ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替える移動通信方法であって、ＭＳＣサーバ/ＭＧＷ（第２通信方式のコアネットワーク内の所定ノード）が、ＭＭＥ（移動伝達ネットワーク内の移動管理ノード）から所定情報を受信した場合に、第１切替手順を開始し、ＳＣＣ  ＡＣ（サービス制御ネットワーク内の所定ノード）に対して、「Ｉｎｉｔｉａｌ  ｏｆ  Ｓｅｓｓｉｏｎ  Ｔｒａｎｓｆｅｒ」によって、その旨を通知する工程Ａと、ＳＣＣ  ＡＣが、かかる通知に応じて、第１切替手順を開始する工程Ｂとを有し、第１切替手順は、移動局ＵＥ＃１の在圏ネットワーク内で移動局＃１の第１通信状態から第２通信状態への切り替えを行う手順であり、第２切替手順は、移動局ＵＥ＃１の在圏ネットワーク及びホームネットワーク内で移動局ＵＥ＃１の第１通信状態から第２通信状態への切り替えを行う手順であることを要旨とする。
【００６８】
本実施形態の第１の特徴において、工程Ｂにおいて、ＳＣＣ  ＡＣは、ＭＳＣサーバ/ＭＧＷに対して、「ＡＣＫ  ｏｆ  Ｓｅｓｓｉｏｎ  Ｔｒａｎｓｆｅｒ」によって、第１切替手順に必要な情報を送信してもよい。
【００６９】
本実施形態の第１の特徴において、移動局ＵＥ＃１の位置登録時に、ＭＭＥが、ＨＳＳ（移動局のホームネットワーク内の加入者サーバ）から、「Ｕｐｄａｔｅ  Ｌｏｃａｔｉｏｎ  Ａｃｋ」を介して、移動局ＵＥ＃１のホームネットワークが第１切替手順に対応しているか否かについて示す情報を取得する工程と、ＭＭＥが、移動局ＵＥ＃１のホームネットワークが第１切替手順に対応している旨を示す情報を取得した場合、ＭＳＣサーバ/ＭＧＷに対して、上述の所定情報を送信する工程とを有してもよい。
【００７０】
本実施形態の第２の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークと、ＩＭＳとを具備する移動通信システムであって、第１切替手順又は第２切替手順によって、移動局ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されており、ＭＳＣサーバ/ＭＧＷは、ＭＭＥから所定情報を受信した場合に、第１切替手順を開始し、ＳＣＣ  ＡＣに対して、「Ｉｎｉｔｉａｌ  ｏｆ  Ｓｅｓｓｉｏｎ  Ｔｒａｎｓｆｅｒ」によって、その旨を通知するように構成されており、ＳＣＣ  ＡＣは、かかる通知に応じて、第１切替手順を開始するように構成されており、第１切替手順は、移動局ＵＥ＃１の在圏ネットワーク内で移動局ＵＥ＃１の第１通信状態から第２通信状態への切り替えを行う手順であり、第２切替手順は、移動局ＵＥ＃１の在圏ネットワーク及びホームネットワーク内で移動局ＵＥ＃１の第１通信状態から第２通信状態への切り替えを行う手順であることを要旨とする。
【００７１】
本実施形態の第２の特徴において、ＳＣＣ  ＡＣは、かかる通知に応じて、第１切替手順を開始し、ＭＳＣサーバ/ＭＧＷに対して、「ＡＣＫ  ｏｆ  Ｓｅｓｓｉｏｎ  Ｔｒａｎｓｆｅｒ」によって、第１切替手順に必要な情報を送信するように構成されていてもよい。
【００７２】
本実施形態の第２の特徴において、移動局ＵＥ＃１の位置登録時に、ＭＭＥは、ＨＳＳから、移動局ＵＥ＃１のホームネットワークが第１切替手順に対応しているか否かについて示す情報を取得するように構成されており、ＭＭＥは、移動局ＵＥ＃１のホームネットワークが第１切替手順に対応している旨を示す情報を取得した場合、ＭＳＣサーバ/ＭＧＷに対して、上述の所定情報を送信するように構成されていてもよい。
【００７３】
なお、上述のＭＳＣサーバ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥ、ＨＳＳの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥ、ＨＳＳ内に設けられていてもよい。また、かかる記憶媒体及びプロセッサは、ディスクリートコンポーネントとしてＭＳＣサーバ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥ、ＨＳＳ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７７】
ＵＥ…移動局
Ｅ-ＵＴＲＡＮ、ＵＴＲＡＮ/ＧＥＲＡＮ…無線アクセスシステム
ＭＭＥ…移動管理ノード
ＳＧＳＮ…パケット交換機
ＳＧＷ、ＰＧＷ…ゲートウェイ装置
ＩＭＳ…サービス制御ネットワーク
【図１】
2011211661.tif 000003
【図２】
2011211661.tif 000004
【図３】
2011211661.tif 000005
【図４】
2011211661.tif 000006
【図５】
2011211661.tif 000007
【図６】
2011211661.tif 000008
【図７】
2011211661.tif 000009
【図８】
2011211661.tif 000010
【図９】
2011211661.tif 000011
【図１０】
2011211661.tif 000012
【図１１】
2011211661.tif 000013